【手続補正書】
【提出日】平成20年2月22日(2008.2.22)
【手続補正１】
【補正対象書類名】明細書
【補正対象項目名】特許請求の範囲
【補正方法】変更
【補正の内容】
【特許請求の範囲】
【請求項１】
入力端子及び出力端子と、フェリ磁性体に中心導体を配置した中心導体組立体と、前記中心導体組立体に直流磁界を印加する永久磁石とを備えた非可逆回路部と、前記非可逆回路部の入力端子側に接続された出力検出用リアクタンス素子を備えた非可逆回路素子であって、
前記非可逆回路部の入力インピーダンスＺｉｎが、所望の動作帯域の中心周波数にて、前記出力端子に接続される外部回路系のインピーダンスＺｏ及び前記出力検出用リアクタンス素子のインピーダンスＺｃ（＝ｊＸｃ）に対して以下の式で設定される範囲内にあることを特徴とする非可逆回路素子。
Ｚｉｎ＝Ａ・Ｚｏ−ｊ・Ｚｏ２／Ｘｃ＋ｊ・Ｂ・Ｚｏ
ここでＡは０．８５〜１．１５、Ｂは−０．１５〜０．１５の範囲内であり、ｊは虚数を示す記号である。
【請求項２】
入力端子及び出力端子と、フェリ磁性体に中心導体を配置した中心導体組立体と、前記中心導体組立体に直流磁界を印加する永久磁石とを備えた非可逆回路部と、前記非可逆回路部の入力端子側に接続された出力検出用リアクタンス素子を備えた非可逆回路素子であって、
前記非可逆回路部の入力インピーダンスＺｉｎが、所望の動作帯域の中心周波数にて、前記出力検出用リアクタンス素子のインピーダンスＺｃ（＝ｊＸｃ）に対して以下の式で設定される範囲内にあることを特徴とする非可逆回路素子。
Ｚｉｎ＝Ｚａ−ｊ・２５００／Ｘｃ＋ｊ・Ｚｂ
ここでＺａは４２．５Ω〜５７．５Ω、Ｚｂは−７．５Ω〜７．５Ωの範囲内であり、ｊは虚数を示す記号である。
【請求項３】
前記出力検出用リアクタンス素子が容量Ｃの出力検出用コンデンサの時には、入力インピーダンスＺｉｎは以下の式で設定されることを特徴とする請求項２記載の非可逆回路素子。
Ｚｉｎ＝Ｚａ＋ｊ・５０００・π・ｆ・Ｃ＋ｊ・Ｚｂ
ここでｆは動作帯域の中心周波数である。
【請求項４】
前記中心周波数ｆが略１．９５ＧＨｚで、前記容量Ｃが略０．３ｐＦの時には、前記入力インピーダンスＺｉｎは、スミスチャートにおいて抵抗成分が４２．５Ωと５７．５Ωのそれぞれの曲線と、リアクタンス成分が１．７Ωと１６．７Ωのそれぞれの曲線とにより囲まれた範囲内に設定されることを特徴とする請求項３記載の非可逆回路素子。
【請求項５】
入力端子及び出力端子と、フェリ磁性体に中心導体を配置した中心導体組立体と、前記中心導体組立体に直流磁界を印加する永久磁石とを備えた非可逆回路部と、前記非可逆回路部の入力端子側に接続された出力検出用リアクタンス素子を備えた非可逆回路素子であって、
前記出力検出用リアクタンス素子がコンデンサであり、前記非可逆回路部の入力インピーダンスを外部回路系のインピーダンスに対し、スミスチャート上で虚数成分が正の方向に位置するようにずらしたことを特徴とする非可逆回路素子。
【請求項６】
入力端子及び出力端子と、フェリ磁性体に中心導体を配置した中心導体組立体と、前記中心導体組立体に直流磁界を印加する永久磁石とを備えた非可逆回路部と、前記非可逆回路部の入力端子側に接続された出力検出用リアクタンス素子を備えた非可逆回路素子であって、
前記出力検出用リアクタンス素子がインダクタであり、前記非可逆回路部の入力インピーダンスを外部回路系のインピーダンスに対し、スミスチャート上で虚数成分が負の方向に位置するようにずらしたことを特徴とする非可逆回路素子。
【請求項７】
高周波信号を送信する送信系と、高周波信号を受信する受信系とを有する送信受信装置において、前記送信系に、請求項１乃至６のいずれかに規定する非可逆回路素子を用いるようにしたことを特徴とする送信受信装置。
【手続補正２】
【補正対象書類名】明細書
【補正対象項目名】０００１
【補正方法】変更
【補正の内容】
【０００１】
【発明の属する技術分野】
本発明は、携帯電話など少なくとも１つのアンテナを送信系と受信系とで共用するようにした送信受信装置及びこれに用いる非可逆回路素子に関する。
【手続補正３】
【補正対象書類名】明細書
【補正対象項目名】０００７
【補正方法】変更
【補正の内容】
【０００７】
【課題を解決するための手段】
第１の発明は、入力端子及び出力端子と、フェリ磁性体に中心導体を配置した中心導体組立体と、前記中心導体組立体に直流磁界を印加する永久磁石とを備えた非可逆回路部と、前記非可逆回路部の入力端子側に接続された出力検出用リアクタンス素子を備えた非可逆回路素子であって、前記非可逆回路部の入力インピーダンスＺｉｎが、所望の動作帯域の中心周波数にて、前記出力端子に接続される外部回路系のインピーダンスＺｏ及び前記出力検出用リアクタンス素子のインピーダンスＺｃ（＝ｊＸｃ）に対して以下の式で設定される範囲内にあることを特徴とする非可逆回路素子である。Ｚｉｎ＝Ａ・Ｚｏ−ｊ・Ｚｏ２／Ｘｃ＋ｊ・Ｂ・ＺｏここでＡは０．８５〜１．１５、Ｂは−０．１５〜０．１５の範囲内であり、ｊは虚数を示す記号である。
これにより、アイソレータ部の入力インピーダンスと出力検出用リアクタンス素子のインピーダンスを容易に最適化することが可能となる。
【手続補正４】
【補正対象書類名】明細書
【補正対象項目名】０００８
【補正方法】変更
【補正の内容】
【０００８】
第２の発明は、入力端子及び出力端子と、フェリ磁性体に中心導体を配置した中心導体組立体と、前記中心導体組立体に直流磁界を印加する永久磁石とを備えた非可逆回路部と、前記非可逆回路部の入力端子側に接続された出力検出用リアクタンス素子を備えた非可逆回路素子であって、前記非可逆回路部の入力インピーダンスＺｉｎが、所望の動作帯域の中心周波数にて、前記出力検出用リアクタンス素子のインピーダンスＺｃ（＝ｊＸｃ）に対して以下の式で設定される範囲内にあることを特徴とする非可逆回路素子である。
Ｚｉｎ＝Ｚａ−ｊ・２５００／Ｘｃ＋ｊ・Ｚｂ
ここでＺａは４２．５Ω〜５７．５Ω、Ｚｂは−７．５Ω〜７．５Ωの範囲内であり、ｊは虚数を示す記号である。
【手続補正５】
【補正対象書類名】明細書
【補正対象項目名】０００９
【補正方法】変更
【補正の内容】
【０００９】
第２の発明において、前記出力検出用リアクタンス素子が容量Ｃの出力検出用コンデンサの時には、入力インピーダンスＺｉｎは以下の式で設定されるのが好ましい。
Ｚｉｎ＝Ｚａ＋ｊ・５０００・π・ｆ・Ｃ＋ｊ・Ｚｂ
ここでｆは動作帯域の中心周波数である。
【手続補正６】
【補正対象書類名】明細書
【補正対象項目名】００１０
【補正方法】変更
【補正の内容】
【００１０】
また、前記中心周波数ｆが略１．９５ＧＨｚで、前記容量Ｃが略０．３ｐＦの時には、前記入力インピーダンスＺｉｎは、スミスチャートにおいて抵抗成分が４２．５Ωと５７．５Ωのそれぞれの曲線と、リアクタンス成分が１．７Ωと１６．７Ωのそれぞれの曲線とにより囲まれた範囲内に設定されるのが好ましい。
【手続補正７】
【補正対象書類名】明細書
【補正対象項目名】００１１
【補正方法】変更
【補正の内容】
【００１１】
第３の発明は、入力端子及び出力端子と、フェリ磁性体に中心導体を配置した中心導体組立体と、前記中心導体組立体に直流磁界を印加する永久磁石とを備えた非可逆回路部と、前記非可逆回路部の入力端子側に接続された出力検出用リアクタンス素子を備えた非可逆回路素子であって、
前記出力検出用リアクタンス素子がコンデンサであり、前記非可逆回路部の入力インピーダンスを外部回路系のインピーダンスに対し、スミスチャート上で虚数成分が正の方向に位置するようにずらしたことを特徴とする非可逆回路素子である。
【手続補正８】
【補正対象書類名】明細書
【補正対象項目名】００１２
【補正方法】変更
【補正の内容】
【００１２】
第４の発明は、入力端子及び出力端子と、フェリ磁性体に中心導体を配置した中心導体組立体と、前記中心導体組立体に直流磁界を印加する永久磁石とを備えた非可逆回路部と、前記非可逆回路部の入力端子側に接続された出力検出用リアクタンス素子を備えた非可逆回路素子であって、前記出力検出用リアクタンス素子がインダクタであり、前記非可逆回路部の入力インピーダンスを外部回路系のインピーダンスに対し、スミスチャート上で虚数成分が負の方向に位置するようにずらしたことを特徴とする非可逆回路素子である。
【手続補正９】
【補正対象書類名】明細書
【補正対象項目名】００１３
【補正方法】変更
【補正の内容】
【００１３】
第５の発明は、高周波信号を送信する送信系と、高周波信号を受信する受信系とを有する送信受信装置において、前記送信系に、前記第１〜第４の発明のいずれかに規定する非可逆回路素子部材を用いるようにしたことを特徴とする送信受信装置である。
【手続補正１０】
【補正対象書類名】明細書
【補正対象項目名】００１４
【補正方法】変更
【補正の内容】
【００１４】
【発明の実施の形態】
以下に、本発明に係る非可逆回路素子及びこれを用いた送信受信装置の一実施例を添付図面に基づいて詳述する。図１は本発明の非可逆回路素子を用いた送信受信装置を示すブロック構成図、図２は本発明の非可逆回路素子を示す分解斜視図、図３は本発明の非可逆回路素子の等価回路を示す図、図４は図３中の積層素体の焼結前のグリーンシートの各層を示す展開図、図５は本発明におけるインピーダンス計算で用いた非可逆回路素子の等価回路を示す図、図６は本発明における最適な入力インピーダンスの範囲をスミスチャート上で示すグラフ、図７は本発明における最適な入力インピーダンスの範囲を示すグラフである。
【手続補正１１】
【補正対象書類名】明細書
【補正対象項目名】００１５
【補正方法】変更
【補正の内容】
【００１５】
まず、図１を参照して本発明の非可逆回路素子を用いた送信受信装置について説明する。ここでは送信受信装置として携帯電話を例にとって説明する。図１に示すように、この送信受信装置としての携帯電話２は、外部からの高周波信号を受けると共に、送信信号を放射するアンテナ４を有しており、このアンテナ４は、デュプレクサ６を介して受信系８と送信系１０とに接続されている。このデュプレクサ６は、送信系１０からの信号を上記アンテナ２へ送り、このアンテナ２からの受信信号を受信系８へ送る。
【手続補正１２】
【補正対象書類名】明細書
【補正対象項目名】００１７
【補正方法】変更
【補正の内容】
【００１７】
一方、上記送信系１０は、送信すべき信号を発生する送信回路２４、不要な周波数成分を除去するフィルタ２６、上記電圧制御発振器２２からのローカル周波数の信号と送信すべき信号とを混合して高周波信号を得る送信側ミキサ２８、上記高周波信号を増幅するパワーアンプ３０及び上記アンテナ４等の外乱によるインピーダンス変動の影響を小さくして上記パワーアンプ３０の動作を安定化させることにより不要な輻射や混変調を防ぐための本発明の特徴とする非可逆回路素子３２を順次接続して構成されており、この非可逆回路素子３２の出力の一部をＡＰＣ（Ａｕｔｏ  Ｐｏｗｅｒ  Ｃｏｎｔｒｏｌ）回路３４を介して上記パワーアンプ３０へ戻すようになっている。また、電圧制御発振器２２に接続されるスプリッタ２３は、発振されたローカル信号を２方向に分岐させて上記受信ミキサ１６と送信ミキサ２８とへ供給する。ここで、上記非可逆回路素子３２の各端子は、上記パワーアンプ３０に接続される端子を入力端子ＩＮ、上記デュプレクサ６に接続される端子を出力端子ＯＵＴ、上記ＡＰＣ回路３４に接続される端子を出力検出用端子（Ｃｏｕｐｌｉｎｇ）ＣＯＵＰとする。
【手続補正１３】
【補正対象書類名】明細書
【補正対象項目名】００１８
【補正方法】変更
【補正の内容】
【００１８】
次に、図２を参照して上記非可逆回路素子３２の構成について説明する。図２に示すように、この非可逆回路素子３２は、ガーネット等の円板状のフェリ磁性体（フェライト）４０を中心として３本のストリップラインからなる中心導体４２、４４、４６を１２０度間隔で且つ絶縁体を介して折り込んでなる中心導体組立体４８と、この中心導体組立体４８を中央の貫通孔５０に収容できるようにした積層素体５２と、上記中心導体組立体４８に直流磁界を印加するフェライト磁石などの永久磁石５４と、磁性ヨークを兼ねる金属製のケースとなる上ケース５６及び下ケース５８と、上記積層素体５２と上記下ケース５８との間に介在されて銅板等の導電板６０を樹脂枠６２内に一体的に組み込むことにより形成した樹脂ベース６４とから主に構成されている。上記樹脂ベース６４の導電板６０の上面には上記各中心導体４２、４４、４６の基端部側の一端が共通に半田付けされ、この導電板６０の下面は下ケース５８の中央部の金属部分に嵌まるようになっている。そして、上記樹脂ベース６４の左右端の樹脂枠６２には、入力端子ＩＮとなる外部電極６６と、出力端子ＯＵＴとなる外部端子６８と、出力検出用端子ＣＯＵＰとなる外部電極７０と、他のグランド電極ＧＮＤが面実装可能なように実装基板面に面して形成されている。尚、導電板６０全体もグランドとなる。そして、これらの各部材が上下方向に積層されて周囲が、上ケース５６と下ケース５８とでパッケージされる。
【手続補正１４】
【補正対象書類名】明細書
【補正対象項目名】００１９
【補正方法】変更
【補正の内容】
【００１９】
次に、図３を参照して上記非可逆回路素子３２の等価回路について説明する。図３において、端子Ｐ１、Ｐ２、Ｐ３とグランド（アース）間に接続されたＣ１、Ｃ２、Ｃ３は整合容量であり、サーキュレータの動作周波数を決定し、これらに並列に中心導体組立体４８の中心導体４２、４４、４６をそれぞれ接続してインダクタンスＬ成分を付加している。ここでＣ１は入力用コンデンサ、Ｃ２は出力用コンデンサ、Ｃ３はロード用コンデンサとなる。また、アイソレータとするために上記ロード用コンデンサＣ３に終端抵抗Ｒ１を並列に接続してグランドに落としているが、この終端抵抗Ｒ１は図２に示す積層素体５２の上面に印刷抵抗７２を設けることによって構成している。尚、印刷抵抗に代えてチップ抵抗等をここに設けてもよい。ここで上記入力端子ＩＮ、出力端子ＯＵＴ及び出力検出用端子ＣＯＵＰが樹脂ベース６４の外部電極６６、６８、７０にそれぞれ相当し、各コンデンサＣ１、Ｃ２、Ｃ３の各種電極が容量素子基板である積層素体５２にそれぞれ印刷形成されている電極８２、８４、８６に相当している。入力端子ＩＮ側からは、出力検出用リアクタンス素子８８を介して出力検出用端子ＣＯＵＰが接続されており、通常これは入力端子ＩＮからアイソレータ（非可逆回路素子部材）に入ったアンプの出力信号の一部が出力検出用端子ＣＯＵＰより出力される量、すなわち、カップリング量が所定の値になるように、後述するようにその容量が定められている。この出力検出用リアクタンス素子８８は例えばコンデンサよりなり、このコンデンサ８８は、以下に説明するように積層素体５２内に電極パターンで形成される。
【手続補正１５】
【補正対象書類名】明細書
【補正対象項目名】００２１
【補正方法】変更
【補正の内容】
【００２１】
上記積層素体（容量素子基板）５２は、９００℃程度の低温焼成が可能なセラミック誘電体材料からなり、例えば比誘電率が約８で厚さ３０〜１００μｍ程度のグリーンシートをドクターブレード法で作成し、このグリーンシート上に銀を主体とする導電ペーストを印刷することにより所望の電極パターンを形成している。これらの誘電体グリーンシートを積層して熱圧着し、中央部に貫通穴５０（図２参照）を形成した後、これを焼結することにより一体型の積層素体５２を成形することができる。この積層素体５２と中心導体組立体４８とはそれぞれ個別に製造し、中心導体組立体４８を上記積層素体５２の貫通穴５０に嵌合装着させた後、各中心導体４２、４４、４６の基端部である一端を導電板６０に半田付けし、他端を積層素体５２の上面の電極８２、８４、８６にそれぞれ半田付けして電気的に接続する。次いで、永久磁石５４を貼り付けた上ケース５６と樹脂ベース６４を取り付けた下ケース５８とを組み付けて非可逆回路素子（アイソレータ）３２を構成している。
【手続補正１６】
【補正対象書類名】明細書
【補正対象項目名】００２４
【補正方法】変更
【補正の内容】
【００２４】
以上説明したように構成された非可逆回路素子３２において、本発明では、上記非可逆回路部の入力インピーダンスＺｉｎが、所望の動作帯域の中心周波数にて、前記出力端子ＯＵＴに接続される外部回路系のインピーダンスＺｏ及び前記出力検出用リアクタンス素子８８（Ｃ４）のインピーダンスＺｃ（＝ｊＸｃ）に対して以下の式１で設定される範囲内にあるように設定することを特徴としている。
Ｚｉｎ＝Ａ・Ｚｏ−ｊ・Ｚｏ２／Ｘｃ＋ｊ・Ｂ・Ｚｏ  …  （１）
ここでＡは０．８５〜１．１５、Ｂは−０．１５〜０．１５の範囲内であり、ｊは虚数を示す記号である。尚、図３に上記アイソレータ部１２２が一点鎖線で囲まれており、このアイソレータ部１２２には各コンデンサＣ１〜Ｃ３、終端抵抗Ｒ１が含まれており、出力検出用リアクタンス素子８８（Ｃ４）は含まれていない。
【手続補正１７】
【補正対象書類名】明細書
【補正対象項目名】００２５
【補正方法】変更
【補正の内容】
【００２５】
ここで上記インピーダンス計算を行った時の等価回路について説明する。図５はインピーダンス計算で用いた非可逆回路素子の等価回路を示す図である。この等価回路は基本的には図３に示す本発明の非可逆回路素子の等価回路の出力端子ＯＵＴ及び出力検出用端子ＣＯＵＰにインピーダンスＺｏの外部回路系１２４を接続している。また、ここでは出力検出用リアクタンス素子８８（Ｃ４）のインピーダンスをＺｃ（＝ｊＸｃ）としている。さて、従来の［アイソレータ］＋［カプラ］の回路構成では、ある特定の動作周波数で全体の反射を”０”（インピーダンスマッチング）にするためには、一般に［アイソレータ］＋［カプラ］の各々を、外部回路系１２４のインピーダンスＺｏに整合するように設計していた。しかし、図５に示すようなカプラ機能内蔵型のアイソレータでは、アイソレータ部１２２をインピーダンスＺｏに整合させると、この非可逆回路素子３２の全体の入力インピーダンスはインピーダンスＺｏに整合しないため、入力端子ＩＮで反射が生じて挿入損失が増加する。そこで本発明では、非可逆回路部１２２の入力インピーダンスを以下に説明する特定範囲内に設定することによってこのような問題を解消したものである。
【手続補正１８】
【補正対象書類名】明細書
【補正対象項目名】００２６
【補正方法】変更
【補正の内容】
【００２６】
即ち、ここで、出力検出用リアクタンス素子８８（Ｃ４）のインピーダンスＺｃ（＝ｊ・Ｘｃ）が与えられたとき、カプラ機能内蔵アイソレータ（非可逆回路素子３２）の入力インピーダンスがインピーダンスＺｏに整合するためのアイソレータ部１２２の入力インピーダンスＺｉｎの満たすべき条件を、図５の等価回路に基づいて求めると次の式２の結果を得た。
Ｚｉｎ＝Ｚｏ−ｊ・Ｚｏ２／Ｘｃ  …  （２）
特に、出力検出用リアクタンス素子８８（Ｃ４）がコンデンサである場合は（容量結合型）、このコンデンサの容量Ｃ、角周波数ωとして式３のようになる。
Ｚｉｎ＝Ｚｏ＋ｊ・Ｚｏ２・ω・Ｃ  …  （３）
【手続補正１９】
【補正対象書類名】明細書
【補正対象項目名】００２７
【補正方法】変更
【補正の内容】
【００２７】
この条件式の導出過程を以下に述べる。
（１）一般的なリアクタンス素子について条件式の導出について、まず、パラメータを以下の通りにおく。
Ｚｉｎ’：カプラ機能内蔵アイソレータ（非可逆回路素子３２）の入力インピーダンス
Ｚｉｎ＝Ｒｉｎ＋ｊ・Ｘｉｎ  ：アイソレータ部１２２の入力インピーダンス
Ｚｏ  ：  外部回路系１２４のインピーダンス
Ｚｃ＝ｊ・Ｘｃ  ：出力検出用リアクタンス素子８８（Ｃ４）のインピーダンス
【手続補正２０】
【補正対象書類名】明細書
【補正対象項目名】００３３
【補正方法】変更
【補正の内容】
【００３３】
また、上記入力インピーダンスＺｉｎの範囲を、通常の実数と虚数の座標で示すと図７に示す斜線の範囲、すなわち実数は−４２．５〜５７．５の範囲内で、且つ虚数は１．７〜１６．７の範囲となる。以上説明したように、入力インピーダンスＺｉｎを定めることにより、いわゆるカプラ機能内蔵型の非可逆回路素子（アイソレータ）において入力インピーダンスと出力検出用リアクタンス素子のインピーダンスとを容易に最適化することができ、しかも動作時の反射波も略確実になくすことが可能となる。
【手続補正２１】
【補正対象書類名】明細書
【補正対象項目名】００３４
【補正方法】変更
【補正の内容】
【００３４】
このようにしてアイソレータ部の入力インピーダンスと出力検出用リアクタンス素子のインピーダンスとを最適化することにより、スミスチャート上に現れる非可逆回路部の入力インピーダンスの位置は虚数成分が正負（上下位置）のどちらかにずれて設定されることになる。これにより非可逆回路素子部材全体のインピーダンスマッチングが達成される。尚、出力検出用リアクタンス素子がコンデンサの場合には、スミスチャート上では虚数成分が正の方向（上側）にずれて現れ、他方出力検出用リアクタンス素子がインダクタの場合には、スミスチャート上では虚数成分が負の方向（下側）にずれて現れることになる。
【手続補正２２】
【補正対象書類名】明細書
【補正対象項目名】００３５
【補正方法】変更
【補正の内容】
【００３５】
次に、実際に入力インピーダンスＺｉｎが図７中の点Ｐ１（５１．３，９．１）に相当する本発明の非可逆回路素子を製作し、この評価を行ったので、その評価結果を従来素子と比較して説明する。表１にこの時の評価結果を示す。
【手続補正２３】
【補正対象書類名】明細書
【補正対象項目名】００３９
【補正方法】変更
【補正の内容】
【００３９】
【発明の効果】
以上説明したように、本発明の非可逆回路素子及びこれを用いた送信受信装置によれば、次のように優れた作用効果を発揮することができる。アイソレータ部の入力インピーダンスと出力検出用リアクタンス素子のインピーダンスを容易に最適化することができる。また、アイソレータ部の入力インピーダンスを、出力検出用リアクタンス素子のインピーダンスに適合した範囲に限定することにより、入力側反射損失を減少させて挿入損失を大幅に低減することができる。
【手続補正２４】
【補正対象書類名】明細書
【補正対象項目名】図面の簡単な説明
【補正方法】変更
【補正の内容】
【図面の簡単な説明】
【図１】
本発明の非可逆回路素子を用いた送信受信装置を示すブロック構成図である。
【図２】
本発明の非可逆回路素子を示す分解斜視図である。
【図３】
本発明の非可逆回路素子の等価回路を示す図である。
【図４】
図３中の積層素体の焼結前のグリーンシートの各層を示す展開図である。
【図５】
本発明におけるインピーダンス計算で用いた非可逆回路素子の等価回路を示す図である。
【図６】
本発明における最適な入力インピーダンスの範囲をスミスチャート上で示すグラフである。
【図７】
本発明における最適な入力インピーダンスの範囲を示すグラフである。
【図８】
中心導体組立体の中心導体を寸法を示す部分図である。
【符号の説明】
２    携帯電話（送信受信装置）
４    アンテナ
８    受信系
１０  送信系
２０  受信回路
２３  スプリッタ
２４  送信回路
３２  非可逆回路素子
４０  フェリ磁性体
４２，４４，４６  中心導体
４８  中心導体組立体
５２  積層素体
５４  永久磁石
８８  出力検出用リアクタンス素子
１２２  アイソレータ部
１２４  外部端子
Ｃ１  入力用コンデンサ
Ｃ２  出力用コンデンサ
Ｃ３  ロード用コンデンサ
Ｒ１  終端抵抗
【手続補正２５】
【補正対象書類名】図面
【補正対象項目名】図１
【補正方法】変更
【補正の内容】
【図１】
2002280808.tif 000001